(57)【特許請求の範囲】
【請求項１】
基部側扉と、該基部側扉にヒンジを介して相対的に折り畳み自在に連結された開閉端側扉とを備え、前記基部側扉が構造物の通路の壁面に設けられた凹所内の扉枠フレームにヒンジを介して回動自在に連結され、前記基部側扉と前記開閉端側扉とが折り畳まれた状態で、かつ前記基部側扉を内側にした状態で前記扉枠フレーム内に格納され、火災報知システムに連繋する電子ロックのロックピンが前記扉枠フレーム側に設けられ、該ロックピンが前記開閉端側扉の上端に設けられたロック孔内に係合されることにより、前記基部側扉と前記開閉端側扉とが前記扉枠フレーム内に格納された状態にロックされ、前記火災報知システムの作動により前記ロックピンの前記ロック孔への係合状態が解除されることにより、前記基部側扉及び前記開閉端側扉との格納状態が解除されて通路に展開される中折れ式開閉扉であって、
前記開閉端側扉を開閉可能に支持する支持手段を備え、該支持手段は、前記通路の天井部に、前記基部側扉及び前記開閉端側扉の開閉方向に沿って設けられるガイドレールと、前記ガイドレールに沿って移動可能なガイドローラ又はエルボと、前記開閉端側扉に軸線が前記ガイドレールの長手方向と直交する方向を向くように固定されるとともに、上端が前記ガイドローラ又は前記エルボにスイベル軸継手を介して相対的に回転自在に連結される中空ボルトと、前記中空ボルトの下方の前記開閉端側扉の部分に回転可能に設けられる巻き込みロールと、該巻き込みロールに一端が連結されるとともに、該巻き込みロールの周囲に巻き込み、繰り出し可能に巻回され、かつ、他端が前記中空ボルトの中心部、前記スイベル軸継手の中心部、及び前記ガイドローラ又は前記エルボの中心部を貫通して、前記ガイドレールの長手方向に引き出され、前記ガイドレールの長手方向の所定位置に固定されるワイヤと、前記巻き込みロールを前記ワイヤの巻き込み方向に常時付勢する付勢手段とを備えていることを特徴とする中折れ式開閉扉。
【請求項２】
前記通路の両壁面には、それぞれ凹所が設けられるとともに、各凹所内にはそれぞれ扉枠フレームが設けられ、各凹所の扉枠フレーム内に請求項１に記載の中折れ式開閉扉が設けられ、一方の中折れ式開閉扉の開閉端側扉の端面には凹部が設けられ、他方の中折れ式開閉扉の開閉端側扉の端面には、前記凹部と係合可能な凸部が設けられていることを特徴とする請求項１に記載の中折れ式開閉扉。
【発明の詳細な説明】
【技術分野】
【０００１】
本発明は、中折れ式開閉扉に関する。
【背景技術】
【０００２】
防火扉の形式としては、シャッタ式、引き戸式、開閉式などの各種の形式があり、それぞれに特徴がある。
【０００３】
まず、シャッタ式防火扉の場合には、上部に、巻き取り機構を内蔵したシャッタケースを設け、巻き取り機構に防火シャッタを巻き取ったものであって、巻き取り機構の作動によって防火シャッタを昇降させるように構成したものである。
この形式の防火扉は、通路の閉扉時に、片側に出入り用の開閉式子扉が必要であり、また、巻き取り方式であるため、構造が複雑であり、さらに自動又は自動閉扉のための機構や手順も複雑となる。
【０００４】
また、引き戸式防火扉の場合には、通路の開放状態で通路の片側又は両側に引き込んでおく必要があるため、通路がＴ字形に交差するなど、通路の片側又は両側に防火扉を格納するスペースがない場合には据え付けができない。
【０００５】
これに対して、開閉式防火扉の場合には、通路の壁面に扉を格納するための凹所を設け、防火扉で通路を開閉する際に、例えば、防火扉を壁面に対して９０°開閉させればよいから、何れの通路の形状にも対応できる。
【０００６】
ところが、その反面、回動半径内に障害物があった場合には、閉扉できなくなったり、防火扉そのものが通行障害となる。この点については、防火扉を観音開き構造として、通路の両壁面に配置することで対処できるが、それでも通路幅の半分の回転半径となるため、自動あるいは自動式とした場合には動力負荷も大きい。
【０００７】
このような欠点を補うものとして、中折れ戸形式がある。中折れ戸形式のものは、扉を構造物にヒンジを介して回動可能に連結される基部側扉と、基部側扉にヒンジを介して回動可能に連結される開閉端側扉とを備えている。開放（格納）状態では、基部側扉が通路側に面し、開閉端側扉が基部側扉の奥に位置するように、折り畳まれた状態で側壁に格納されている。
【０００８】
この構造形式で、９０°開閉式の場合の閉止時には、基部側扉が開閉端側扉を伴った状態で９０°回動した後、開閉端側扉が基部側扉に対して１８０°回動することにより、展開されて構造物の開口を閉止するものとなっている。
【０００９】
そのため、片側扉方式の場合には、通路幅の１／２の回動半径、両側扉方式の場合には１／４の回動半径となり、開閉させるためのスペースの小さな場所に据え付ける扉として好適である。
【００１０】
ところで、前記中折れ式戸形式で自動式に閉止駆動する場合の構造としては、構造物と基部側扉との間のヒンジ部、および、基部側扉と開閉端側扉との間のヒンジ部に回転付勢手段（いわゆるオートヒンジ機構）をそれぞれ介在させ、基部側扉および開閉端側扉を常時閉止側（展開方向）に付勢するとともに、基部側扉の格納状態をロックする手段が設けられている。さらに、閉止時において、上述したように、基部側扉が９０°回動したときに、この展開状態をロックする手段（いわゆるドアキャッチ）を設ける必要がある。
【００１１】
この構造では、火災報知信号を受けて基部側扉のロックが解除されると、基部側扉が９０°回動して当該位置でロックされ、ついで開閉端側扉が１８０°回動することにより、基部側扉と開閉端側扉とが一直線となる。
【発明の開示】
【発明が解決しようとする課題】
【００１２】
しかしながら、このような従来の中折れ式戸形式における自動閉止駆動構造にあっては、閉扉する際に、基部側扉の回動・ロックと、その後の開閉端側扉の回動という２段階の動作が必要となるため、より迅速な閉扉を行うことができる構造が望まれていた。また、基部側扉と開閉端側扉のそれぞれを別個に回動駆動する機構が必要であり、コストアップの原因となっていた。さらに、基部側扉が９０°回動したときに、この展開状態をロックする手段（いわゆるドアキャッチ）を設ける必要があり、この点においても、コストアップの原因となっていた。
【００１３】
本発明は、以上の課題を解決するもので、その目的は、自動閉止駆動機構を削減することができるとともに、いわゆるドアキャッチを削減することができながら、迅速な閉扉動作を行うことができる中折れ式開閉扉を提供するものである。
【課題を解決するための手段】
【００１４】
前記目的を達成するために、本発明は、基部側扉と、該基部側扉にヒンジを介して相対的に折り畳み自在に連結された開閉端側扉とを備え、前記基部側扉が構造物の通路の壁面に設けられた凹所内の扉枠フレームにヒンジを介して回動自在に連結され、前記基部側扉と前記開閉端側扉とが折り畳まれた状態で、かつ前記基部側扉を内側にした状態で前記扉枠フレーム内に格納され、火災報知システムに連繋する電子ロックのロックピンが前記扉枠フレーム側に設けられ、該ロックピンが前記開閉端側扉の上端に設けられたロック孔内に係合されることにより、前記基部側扉と前記開閉端側扉とが前記扉枠フレーム内に格納された状態にロックされ、前記火災報知システムの作動により前記ロックピンの前記ロック孔への係合状態が解除されることにより、前記基部側扉及び前記開閉端側扉との格納状態が解除されて通路に展開される中折れ式開閉扉であって、前記開閉端側扉を開閉可能に支持する支持手段を備え、該支持手段は、前記通路の天井部に、前記基部側扉及び前記開閉端側扉の開閉方向に沿って設けられるガイドレールと、前記ガイドレールに沿って移動可能なガイドローラ又はエルボと、前記開閉端側扉に軸線が前記ガイドレールの長手方向と直交する方向を向くように固定されるとともに、上端が前記ガイドローラ又は前記エルボにスイベル軸継手を介して相対的に回転自在に連結される中空ボルトと、前記中空ボルトの下方の前記開閉端側扉の部分に回転可能に設けられる巻き込みロールと、該巻き込みロールに一端が連結されるとともに、該巻き込みロールの周囲に巻き込み、繰り出し可能に巻回され、かつ、他端が前記中空ボルトの中心部、前記スイベル軸継手の中心部、及び前記ガイドローラ又は前記エルボの中心部を貫通して、前記ガイドレールの長手方向に引き出され、前記ガイドレールの長手方向の所定位置に固定されるワイヤと、前記巻き込みロールを前記ワイヤの巻き込み方向に常時付勢する付勢手段とを備えていることを特徴とする。
【００１５】
また、本発明において、前記通路の両壁面には、それぞれ凹所が設けられるとともに、各凹所内にはそれぞれ扉枠フレームが設けられ、各凹所の扉枠フレーム内に請求項１に記載の中折れ式開閉扉が設けられ、一方の中折れ式開閉扉の開閉端側扉の端面には凹部が設けられ、他方の中折れ式開閉扉の開閉端側扉の端面には、前記凹部と係合可能な凸部が設けられていることを特徴とする。
【発明の効果】
【００１６】
以上、説明したように、本発明によれば、火災発生時に、火災報知システムの作動によってロックピンのロック孔への係合状態が解除されることにより、基部側扉及び開閉端側扉の格納状態が解除され、支持手段の付勢手段によって付勢されていた巻き込みロールが付勢手段によってワイヤの巻き込み方向に付勢され、巻き込みロールの周囲にワイヤが巻き込まれることにより、ガイドローラ又はエルボがガイドレールに沿って移動し、ガイドローラ又はエルボに追従して開閉端側扉が通路を閉じる方向に移動し、開閉端側扉に追従して基部側扉が同一方向に移動し、開閉端側扉と基部側扉との角度が折り畳まれた状態から徐々に広げられ、基部側扉と開閉端扉とが一直線となって通路が閉じられることになる。
従って、従来のように、基部側扉と開閉端側扉とによって通路を閉じる際に、基部側扉の回動・ロック、開閉端側扉の回動という２段階の動作を行う必要はなく、基部側扉及び開閉端側扉によって通路を閉じる動作を円滑に、迅速に、かつ確実に行うことができる。
【発明を実施するための最良の形態】
【００１７】
以下、図面を参照しながら本発明の実施の形態について説明する。
図１〜図４には、本発明による中折れ式開閉扉の第１の実施の形態が示されている。図１は中折れ式開閉扉を通路の壁面に格納した状態を示す横断面図、図２は図１の縦断面図、図３は支持手段の斜視図、図４は通路を閉じた状態を示す横断面図である。
【００１８】
本実施の形態の中折れ式開閉扉１（以下、防火扉１という。）は、９０°開閉式の片側扉であって、通常時には、図１に示すように、通路２の片側壁面３に設けられた凹所３ａ内に据え付けられた扉枠フレーム４内に折り畳まれた状態で格納されて通路２を開放し、火災の発生時には、図４に示すように、折り畳まれた状態から展開されて通路２を閉じるように構成されている。
【００１９】
本実施の形態の防火扉１は、耐火性の鋼板を組み合わせた中空構造体であって、図１、図２、及び図４に示すように、扉枠フレーム４に幅方向の一端部の上端側がヒンジ５ａを介して連結され、ヒンジ５ａを中心として図１の矢印ａ方向に回動可能な基部側扉５（以下、第１扉５という。）と、第１扉５の幅方向の他端部（回動端）に幅方向の一端部がヒンジ６を介して連結され、ヒンジ６を中心として図１の矢印ｂ方向に回動可能な開閉端側扉７（以下、第２扉７という。）とから構成されている。
【００２０】
第２扉７の上端には、図１に示すように、ロック孔８ａが開口した状態で設けられ、このロック孔８ａに対応する扉枠フレーム４の部分には、火災報知システムに連繋する電子ロックのロックピン８ｂが第２扉７の方向に突出可能に設けられ、このロックピン８ｂが第２扉７の方向に突出した際にロック孔８ａ内に係合されることにより、第１扉５と第２扉７とが折り畳まれた状態で、かつ、第１扉５が奥側に配置され、第２扉７が表側に配置された状態で、扉枠フレーム４内に格納された状態にロックされる。
【００２１】
ヒンジ６は、図１中に拡大して示すように、第１扉５と第２扉７との接合端面にビスＢを介して固定され、互いに噛合するギア状の一対の関節部６ａ、６ａと、両関節部６ａ、６ａの外周を包囲するとともに、両関節部６ａ、６ａを噛み合い状態に保持するカバー兼用の連結部６ｂとから構成されている。
【００２２】
第２扉７のヒンジ６の端には、図１及び図４に示すように、ヒンジ６の接合位置を覆うカバー部７ｃが設けられ、このカバー部７ｃにより、第１扉５及び第２扉７によって通路２を閉じた際に、図４に示すように、第１扉５と第２扉７との接合部を覆うことができ、火災によって生じた煙が接合部を介して火災と反対側に拡散するのを防止できる。
【００２３】
本実施の形態においては、図２及び図３に示すように、第２扉７を開閉可能に支持する支持手段２０を備えている。
【００２４】
支持手段２０は、通路２の天井部に、第１扉５及び第２扉７の開閉方向に沿って設けられるガイドレール２４と、ガイドレール２４によって第１扉５及び第２扉７の開閉方向に移動可能に案内されるガイドローラ２３と、ガイドローラ２３にスイベル機能を有するスイベル軸継手２７を介して回転自在に連結される、軸線がガイドレール２４の長手方向と直交する方向を向く中空ボルト３０と、中空ボルト３０の下方の第２扉７の部分に回転自在に設けられる巻き込みロール２２と、巻き込みロール２２に一端が連結されるとともに、巻き込みロール２２の周囲に巻き込み、繰り出し可能に巻回され、かつ、他端が中空ボルト３０の中心部、スイベル軸継手２７の中心部、及びガイドローラ２３の中心部を貫通してガイドレール２４の長手方向に引き出され、ガイドレール２４の長手方向の所定位置に固定手段２５によって固定されるワイヤＷと、巻き込みロール２２を回転方向の一方向（図２の矢印方向、ワイヤＷを巻き込む方向）に常時付勢する付勢手段（図示せず）とを備えている。
【００２６】
巻き込みロール２２は、第２扉７の内部に設けられた固定フレーム２１内に設けられ、軸受（図示せず）を介して回転自在に支持されている。また、ガイドローラ２３は、一対の円盤形ローラ２６、２６を有し、両円盤形ローラ２６、２６間にスイベル軸継手２７が一体に設けられている。
【００２７】
スイベル軸継手２７は、角形状の外部材２７ａと、外部材２７ａの中心部に回転自在に設けられる筒状の内部材２７ｂとからなり、外部材２７ａの両側に一対の円盤形ローラ２６、２６がピンを介して回転自在に連結され、内部材２７ｂの下端に中空ボルト３０の上端が連結されている。中空ボルト３０は、第２扉７内の固定ブラケット２８を上下方向に貫通し、この状態で上下方向から固定ブラケット２８を挟むように中空ボルト３０にナット２９、２９を螺合させて締め付けることにより、第２扉７内に固定されている。
【００２８】
そして、火災が発生して火災報知システムが作動し、電子ロックのロックピン８ｂがロック孔８ａ内から引き抜かれると、第１扉５及び第２扉７が扉枠フレーム４内に格納されてロックされた状態が解除され、支持手段２０の付勢手段によって付勢されていた巻き込みロール２２が図２中矢印方向に回転し、巻き込みロール２２の周囲にワイヤＷが巻き込まれる。
【００２９】
そして、上記のように、ワイヤＷの一端が巻き込みロール２２に連結され、他端が中空ボルト３０、スイベル軸継手２７、及びガイドローラ２３を貫通してガイドレール２４の長手方向に引き出されて、ガイドレール２４の長手方向の所定の位置に固定されていることにより、ワイヤＷの巻き込みに追従してガイドローラ２３がガイドレール２４に沿って扉枠フレーム４から離れる方向に移動する。
また、ガイドローラ２３が第２扉７の幅方向の端部の端側に連結されていることにより、ガイドローラ２３に追従して第２扉７が同一方向に移動し、さらに、第１扉５の幅方向の一端部が扉枠フレーム４にヒンジ５ａを介して連結され、他端部が第２扉７の幅方向の一端部にヒンジ６を介して連結されていることにより、第２扉７に追従して第１扉５が第２扉７との角度を徐々に広げながら同一方向に面になるように回動する。
このようにして、第２扉７及び第１扉５が扉枠フレーム４から円滑に、かつ迅速に展開され、第２扉７及び第１扉５が一直線（面一）となって通路２が閉じられる（図４参照）。
【００３０】
また、図４に示すように、第２扉７の開閉端には凸部７ａが設けられ、第２扉７の開閉端に対応する通路２の壁面３の部分には凸部７ａと係合可能な凹部７ｂが設けられているので、第１扉５及び第２扉７で通路２を閉じたときに、第２扉７の凸部７ａと壁面３の凹部７ｂとが相互に係合することにより、第２扉７と壁面３との間の密閉性を高めることができる。
【００３１】
なお、防火扉１の第１扉５及び第２扉６で通路２を閉じた後に、火災報知システムによる火災警告が解除された場合には、人力によって第２扉７を巻き込みロール２２の付勢力に抗して格納方向に押し込むことにより、第２扉７と第１扉５とを折り畳んだ状態で扉枠フレーム４内に格納することができ、この状態で電子ロックのロックピン８ｂを第２扉７のロック孔８ａ内に係合させることにより、第１扉５及び第２扉７を扉枠フレーム４内に格納した状態にロックすることができる。
【００３２】
図５及び図６には、本発明による中折れ式開閉扉の第２の実施の形態が示されている。図５は中折れ式開閉扉を通路の壁面に格納した状態を示す横断面図、図６は中折れ式開閉扉で通路を閉じた状態を示す横断面図である。
【００３３】
本実施の形態の中折れ式開閉扉１（防火扉１）は、９０°開閉式の両側扉であって、通路２の両壁面３、３に凹所３ａ、３ａを設け、各凹所３ａ内に扉枠フレーム４を設け、各扉枠フレーム４内に前記第１の実施の形態と同様の構成の防火扉１を格納展開可能に設けたものである。
【００３４】
この場合、図６に示すように、一方の防火扉１の第２扉７の接合端面には凸部７ｄが設けられ、他方の防火扉１の第２扉７の接合端面には凹部７ｅが設けられ、両防火扉１、１で通路２を閉じた際に、一方の防火扉１の第２扉７の凹部７ｅと他方の防火扉１の第２扉７の凸部７ｄとが相互に係合するように構成されている。
【００３５】
そして、本実施の形態の防火扉１にあっても、前記第１の実施の形態に示すものと同様の作用効果を奏する他、一方の防火扉１の第２扉７の凹部７ｅと他方の防火扉１の第２扉７の凸部７ｄとが相互に係合することにより、防火防煙性を更に高めることができる。
【００３６】
図７及び図８には、本発明による中折れ式開閉扉の第３の実施の形態が示されている。図７は中折れ式開閉扉を通路の壁面に格納した状態を示す横断面図、図８は中折れ式開閉扉で通路を閉じた状態を示す横断面図である。
【００３７】
本実施の形態の中折れ式開閉扉１（防火扉１）は、支持手段５０のガイドレール５５によってエルボ５２を移動可能に案内し、エルボ５２を、第２扉７に外輪が固着された転がり軸受５１の内輪に接続するとともに、エルボ５２の下端にスイベル軸継手を介して中空ボルト３０の上端を螺合接続して、エルボ５２と中空ボルト３０とを相対的に回転可能に構成し、さらに、第２扉７の下端部にボールベアリング５４を設けて、このボールベアリング５４を床面上を転動可能に構成したものであって、その他の構成は前記第１の実施の形態に示すものと同様である。
【００３８】
そして、本実施の形態の防火扉１にあっても、前記第１の実施の形態に示すもの同様の作用効果を奏する他、ガイドレール５５によってエルボ５２を支持した簡単な構成のものであるので、製作費用を削減することができ、さらに、第２扉７をボールベアリング５４で床面上に支持しているので、第２扉７の回動を更に円滑にすることができる。
【図面の簡単な説明】
【００３９】
【図１】本発明による中折れ式開閉扉の第１の実施の形態を示した横断面図であって、通路の壁面に格納した状態を示した横断面図である。
【図２】図１の縦断面図である。
【図３】支持手段の斜視図である。
【図４】通路を閉じた状態を示した横断面図である。
【図５】本発明による中折れ式開閉扉の第２の実施の形態を示した横断面図であって、通路の壁面に格納した状態を示した横断面図である。
【図６】通路を閉じた状態を示した横断面図である。
【図７】本発明本発明による中折れ式開閉扉の第３の実施の形態を示した横断面図であって、通路の壁面に格納した状態を示した横断面図である。
【図８】通路を閉じた状態を示した横断面図である。
【符号の説明】
【００４０】
１  中折れ式開閉扉（防火扉）
２  通路
３  壁面
３ａ  凹所
４  扉枠フレーム
５  基部側扉（第１扉）
６  ヒンジ
６ａ  関節部
６ｂ  連結部
７  開閉端側扉（第２扉）
８ａ  ロック孔
８ｂ  ロックピン
２０、５３  支持手段
２１  固定フレーム
２２  巻き込みロール
２３  ガイドローラ
２４、５５  ガイドレール
２５  固定手段
２６  円盤形ローラ
２７  スイベル軸継手
２７ａ  外部材
２７ｂ  内部材
２８  固定ブラケット
３０  中空ボルト
５１  転がり軸受
５２  エルボ
５４  ボールベアリング
【図１】
0004516743.tif 000002
【図２】
0004516743.tif 000003
【図３】
0004516743.tif 000004
【図４】
0004516743.tif 000005
【図５】
0004516743.tif 000006
【図６】
0004516743.tif 000007
【図７】
0004516743.tif 000008
【図８】
0004516743.tif 000009